(57)【要約】【課題】オプション装置とともにオプションの電源が追加される画像形成システムにおいて、電源ファン制御上の最適化を果たす。【解決手段】画像形成装置本体と、本体電源２０１と、本体に標準で内蔵される第一のユニットと、本体にオプションで増設可能な第二のユニットと、第二のユニットが追加される際に追加される本体電源に比較して電源容量の小さなオプション電源２０５と、本体電源とオプション電源の冷却に兼用される電源ファン２０９と、電源ファンの駆動を制御するファン駆動制御手段１２２２とを備えた画像形成システムにおいて、第二のユニットとオプション電源を増設した場合、第一のユニットはオプションの電源から電力供給され、第二のユニットは本体電源から電力供給されるように構成され、ファン駆動制御手段は、本体電源の消費電力に応じて前記電源ファンにより本体の電源とオプションの電源を冷却するように制御する。【選択図】図１
2008276104.tif 000002
【特許請求の範囲】
【請求項１】
画像形成装置本体と、前記本体の本体電源と、前記本体が有する第一のユニットと、前記本体に増設可能な第二のユニットと、前記第二のユニットが増設される際に増設される増設電源と、前記本体電源を冷却する電源ファンと、前記電源ファンの駆動を制御するファン駆動制御手段とを備えた画像形成システムにおいて、
前記第二のユニットと前記増設電源を増設しない場合、前記第一のユニットは前記本体の電源から電力供給され、前記第二のユニットと前記増設電源を増設する場合は、前記第一のユニットは前記本体電源から前記増設電源による電力供給に切り替え前記第二のユニットは前記本体電源から電力供給されるように構成され、
前記ファン駆動制御手段は、前記本体電源の消費電力に応じて前記電源ファンの駆動を制御することを特徴とする画像形成システム。
【請求項２】
請求項１に記載の画像形成システムにおいて、
前記電源ファンは、さらに前記増設電源も冷却することを特徴とする画像形成システム。
【請求項３】
請求項１に記載の画像形成システムにおいて、
前記増設電源を冷却する増設電源ファンを更に有し、前記ファン駆動制御手段は、前記本体電源の消費電力に応じて前記増設電源ファンの駆動も制御することを特徴とする画像形成システム。
【請求項４】
請求項１に記載の画像形成システムにおいて、
前記第一のユニットは、紙搬送用モータを駆動するニットであることを特徴とする画像形成システム。
【請求項５】
請求項１に記載の画像形成システムにおいて、
前記増設電源は、前記本体電源に比較して電源容量の小さな電源であることを特徴とする画像形成システム。
【請求項６】
画像形成装置本体と、前記本体の本体電源と、前記本体が有する第一のユニットと、前記本体に増設可能な第二のユニットと、前記第二のユニットが増設される際に増設される増設電源と、前記本体電源を冷却する電源ファンと、前記電源ファンの駆動を制御するファン駆動制御手段とを備えた画像形成システムにおいて、
前記第二のユニットと前記増設電源を増設しない場合、前記第一のユニットは前記本体電源から電力供給され、前記第二のユニットと前記増設電源を増設する場合は、前記第一のユニットは前記本体電源から前記増設電源による電力供給に切り替え前記第二のユニットは前記本体電源から電力供給されるように構成され、
前記ファン駆動制御手段は、前記第一のユニットの動作に応じて前記電源ファンの駆動を制御することを特徴とする画像形成システム。
【請求項７】
請求項６に記載の画像形成システムにおいて、
前記電源ファンは、さらに前記増設電源も冷却することを特徴とする画像形成システム。
【請求項８】
請求項６に記載の画像形成システムにおいて、
前記増設電源は、前記本体電源に比較して電源容量の小さな電源であることを特徴とする画像形成システム。
【発明の詳細な説明】
【技術分野】
【０００１】
本発明は、たとえばプリンタとリーダー（スキャナ）を有する画像形成装置本体に、ＡＤＦ（原稿自動送り装置）といったオプション装置（増設装置）を接続する画像形成システムに関し、特にそのオプション装置を接続した際の電源冷却用ファン（ＦＡＮ）の駆動制御に関するものである。
【背景技術】
【０００２】
複写機のモータやランプ等の各負荷を駆動する複写機本体のＤＣ電源（本体の電源）には、本体の電源ファンが取り付けられており、電源ＯＮと同時か、もしくはプリント中などの消費電力が増加する時に本体の電源ファンを駆動して冷却している（特許文献１）。最近のデジタル複写機においては、リーダーで読み取られた画像は電子データとして一旦蓄えられた後、プリンタに転送されてプリントされる。また、リーダーが単体で画像読み取り装置として使用され、画像データがプリントされることなく、ＨＤ（ハードディスク）に蓄えられたり、ネットワークを介してＰＣ（パソコン）に転送されるようなアプリケーションも実現されている。同様にプリンタもリーダー読み取り画像のみをプリントするのではなく、ＰＣからネットワークを介して送られてきた画像データをプリントするなど、プリンタ単体での動作も行われる。
【０００３】
このようなデジタル複写機における本体電源ファンの動作は、電源ＯＮと同時に本体の電源ファンもＯＮして常に本体の電源ファンを駆動しておけば電源の発熱の問題は無い。しかし、スタンバイ中常にファンが駆動されるため、騒音やそのファン自体の消費電力が無駄になるため、一般的に本体のＤＣ電源の供給電力が増加するタイミングで本体電源ファンをＯＮする制御が行われることが多い。
【０００４】
複写機におけるＤＣ電源の電力消費は、リーダーに比べてプリンタが格段に多い。同一の本体のＤＣ電源からリーダーとプリンタに電力供給するシステムでは、リーダーの単体動作時に消費される電力が本体ＤＣ電源の電源容量に比して十分小さければ、リーダー単体動作時には本体の電源ファンを駆動しなくても電源の発熱上問題が無い場合がある。そのため、本体の電源ファンに関してはプリンタが制御を行い、リーダーが関与しない設計になっている場合が多い。
【０００５】
一方、従来より、複写機にＡＤＦ等のオプション装置（増設装置）を接続（増設）する際に、本体電源の電力不足を補うために、オプションのＤＣ電源（増設電源）を追加する必要のある複写機がある。それらの複写機では、図６に示すように、オプションのＤＣ電源の冷却を本体電源ファンで兼用したり、図７に示すようにオプション電源に専用のファンを設けたりしていた。これら、従来の複写機では、追加されたオプションのＤＣ電源からは追加されたオプション装置にのみ電力が供給されている。
【特許文献１】特開２００３−３４５２２４号公報
【発明の開示】
【発明が解決しようとする課題】
【０００６】
このようなオプションの電源からオプション装置にＤＣ電源を供給するシステムでは、オプションの電源の電源容量が、追加されるオプション装置に合わせて設計されている。そして、オプションの電源のファンによる冷却は、本体電源ファンで兼用するか、専用のオプション電源ファンにより行われる。
【０００７】
追加されるオプション装置がＡＤＦの場合、プリンタの動作とは関係なく、リーダーとともに動作するため、プリンタはその動作状況を知りえない。オプションの電源の冷却ファンが本体電源用ファンと兼用の場合、電源周りのファンの制御がプリンタ側に委ねられているため、オプションの電源の電力供給多少に応じたファン駆動をすることができずオプションの電源の昇温が問題となる。この問題を回避するために、オプションの電源専用のファンを設けて、リーダーもしくはＡＤＦが直接制御できるようにした場合には、専用の制御系を設ける必要があり、システム構成の変更が大きく、コスト上も不利となる。
【０００８】
本発明は、このような状況のもとでなされたもので、オプション装置とともにオプションの電源が追加される画像形成システムにおいて、電源ファン制御上の最適化を果たすことのできる画像形成システムを提供することを課題とするものである。
【課題を解決するための手段】
【０００９】
前記課題を解決するため、本発明では、画像形成システムを次の（１）、（２）のとおりに構成する。
【００１０】
（１）画像形成装置本体と、前記本体の本体電源と、前記本体が有する第一のユニットと、前記本体に増設可能な第二のユニットと、前記第二のユニットが増設される際に増設される増設電源と、前記本体電源を冷却する電源ファンと、前記電源ファンの駆動を制御するファン駆動制御手段とを備えた画像形成システムにおいて、
前記第二のユニットと前記増設電源を増設しない場合、前記第一のユニットは前記本体の電源から電力供給され、前記第二のユニットと前記増設電源を増設する場合は、前記第一のユニットは前記本体電源から前記増設電源による電力供給に切り替え前記第二のユニットは前記本体電源から電力供給されるように構成され、
前記ファン駆動制御手段は、前記本体電源の消費電力に応じて前記電源ファンの駆動を制御する画像形成システム。
【００１１】
（２）画像形成装置本体と、前記本体の本体電源と、前記本体が有する第一のユニットと、前記本体に増設可能な第二のユニットと、前記第二のユニットが増設される際に増設される増設電源と、前記本体電源を冷却する電源ファンと、前記電源ファンの駆動を制御するファン駆動制御手段とを備えた画像形成システムにおいて、
前記第二のユニットと前記増設電源を増設しない場合、前記第一のユニットは前記本体電源から電力供給され、前記第二のユニットと前記増設電源を増設する場合は、前記第一のユニットは前記本体電源から前記増設電源による電力供給に切り替え前記第二のユニットは前記本体電源から電力供給されるように構成され、
前記ファン駆動制御手段は、前記第一のユニットの動作に応じて前記電源ファンの駆動を制御する画像形成システム。
【発明の効果】
【００１２】
本発明によれば、オプション装置の有無に関係なく、電源冷却ファンの制御を行うことができ、コスト上、電源ファン制御上の最適化を果たすことができる。
【発明を実施するための最良の形態】
【００１３】
以下、本発明の実施の形態を実施例により詳しく説明する。
【実施例１】
【００１４】
実施例１は、リーダー（画像読取装置）とプリンタを有する画像形成装置本体に、増設可能なオプションとしてのＡＤＦ（原稿自動送り装置）（第二のユニット）とその電源（増設電源）が追加（増設）された“画像形成システム”の例である。
【００１５】
図２は、本実施例の画像形成システムの概略構成を示す断面図である。
図２において、画像形成システム１は、オプションであるＡＤＦ２０４（第二のユニット）により原稿台ガラス３の所定位置をシートスルーする原稿（図示せず）、および、順次送られ、原稿台ガラス３上に載置された原稿（図示せず）の画像データは、例えばハロゲンランプ等にて構成される原稿照明ランプ４が露光または露光走査するよう設定されたリーダー２０３により読み取られる。ＡＤＦ２０４およびリーダー２０３の制御は原稿読取制御部１２０２により行われている。
【００１６】
リーダー２０３に備えられた原稿照明ランプ４は、露光または露光走査にて得られた反射光像の軌道を反射して変更するための走査ミラー５、６、７とともに、光学走査ユニットに保持されている。そしてリーダー２０３に紙面水平方向に自在に支持された光学走査ユニットが紙面水平方向への往復運動を繰り返すことにより、原稿の全画像データが原稿照明ランプ４にて露光走査される。これにより得られた反射光像は、走査ミラー５、６、７にて軌道を変更されたのち、アナログデータをデジタルデータに変換するためのＣＣＤユニット８へと導かれる。
【００１７】
リーダー２０３に備えられたＣＣＤユニット８は、たとえば公知のＣＣＤ等から構成される撮像素子９と、得られた反射光像を撮像素子９に結像する結像レンズ１０と、たとえば撮像素子９を駆動するＣＣＤドライバ１１とを有している。そして、得られた反射光像に応じて撮像素子９から出力される出力信号を、対応するデジタルデータ、たとえば、８ビットのデジタルデータに変換したのち、原稿読取制御部１２０２に入力するようになっている。
【００１８】
リーダー２０３に備えられた原稿照明ランプ４の露光走査によって得られた反射光像はＣＣＤユニット８内の撮像素子９に結像されるが、原稿照明ランプ４の長手方向の配光分布や撮像素子９の感度ムラ等の影響を排除するため白色板が備えられている。白色板は原稿照明ランプ４にて読み取る面に白色の塗装がなされており、この白色板の反射光像を撮像素子９に結像させ、この時のデジタルデータを画像形成システムに備えられた原稿読取制御部１２０２に入力する。
【００１９】
原稿読取制御部１２０２に入力された画像データは統合制御部１２１２に伝送され、スクリーン処理や枠消し等の画像処理を行なった後、プリンタ制御部１２２２に伝送される。
【００２０】
また、画像形成システム１においてプリント動作を行うプリンタ１０２は、円筒状または円柱状の潜像坦持体として感光ドラム１４と、感光ドラム１４の外周面を除電して次なる画像形成に備える前露光ランプ１５を備えている。感光ドラム１４の外周面を所定電位分布にコロナ帯電により帯電せしめて潜像形成に備える一次帯電器１６を備えている。半導体レーザ等により構成され、一次帯電器１６の帯電処理を受けた感光ドラム１４の外周面をプリンタ制御部１２２２から入力されたデジタルデータに基づき露光する２つの光源を有するレーザーユニット１７を備えている。さらに、与えられた画像データに応じて感光ドラム１４の外周面上に形成された静電潜像を現像剤（以下、トナーと称する）を付与して顕像（トナー像）へと現像する現像手段たる現像器１８を備えている。
【００２１】
前記プリンタ１０２に備えられた感光ドラム１４の周囲には、前露光ランプ１５と、一次帯電器１６と、現像器１８と、転写前に、感光ドラム１４の外周面上の顕像に高圧を付与する転写前帯電器１９とが設けられている。たとえば公知のコロナ放電等にて顕像を記録紙Ｐへと転写する転写帯電器２０と、転写処理の終了した記録紙Ｐを感光ドラム１４の外周面から分離する分離帯電器２１が設けられている。さらに、転写終了後に感光ドラム１４の外周面上に残留した現像剤を除去して回収するクリーナ２２が設けられている。
【００２２】
すなわち、前記感光ドラム１４の外周面上に形成されたトナー像は、先ず転写前帯電器１９にて高圧付与される。次にサイズごとに分類して収納する給紙ユニット２３、２４、２５のいずれかから、転写処理される記録紙Ｐが、レジストローラ２６によるタイミング設定等を経て、感光ドラム１４と転写帯電器２０との間の転写領域に搬送される。転写領域に達した記録紙Ｐは、転写帯電器２０のコロナ放電等により感光ドラム１４の外周面上のトナー像を転写されたのち、分離帯電器２１により感光ドラム１４の外周面から分離されることとなる。
【００２３】
一方、転写処理の終了した感光ドラム１４は、外周面上に残留した現像剤をクリーナ２２により除去することにより、次なる画像形成に備えられる。
【００２４】
さらに、前記プリンタ１０２は、熱供給および圧力付与により定着処理をなす定着器２７と、前記転写領域にてトナー像を転写された記録紙Ｐを定着器２７へと搬送する搬送ベルト２８を備えている。さらに、フラッパ２９と、中間トレイ３０と、ステイプルソータ３１または製本装置（グルーバインダ）３２のいずれか一方の装置とを備えている。
【００２５】
前記プリンタ１０２に備えられたフラッパ２９は、プリンタ制御部１２２２の制御に基づき、定着器２７にて定着処理のなされた記録紙Ｐを中間トレイ３０、または、ステイプルソータ３１（画像形成システム１にグルーバインダ３２が備えられているときには、グルーバインダ３２）のいずれか一方に搬送するようになっている。
【００２６】
前記プリンタ１０２に備えられた中間トレイ３０は、搬送ローラ３３、３４、３５、３６を介して搬送されてきた記録紙Ｐを、同一面上に複数の画像を形成するモード、所謂、多重転写モードが実行されている場合には、表裏反転せずに再搬送ローラ３７へと搬送する。一方、同一の記録紙Ｐの両面に画像を形成するモード、所謂、両面複写モードが実行されている場合には、表裏反転して再搬送ローラ３７へと搬送するようになっている。
【００２７】
前記プリンタ１０２に備えられた再搬送ローラ３７は、中間トレイ３０から搬送されてきた記録紙Ｐをレジストローラ２６へと搬送するようになっている。以て、レジストローラ２６に達した記録紙Ｐは、再度転写領域へと搬送されて転写処理をなされる。次に、搬送ベルト２８にて定着器２７へと搬送されて定着処理をなされたのち、ステイプルソータ３１あるいはグルーバインダ３２に排紙される。
【００２８】
さて、前記ステイプルソータ３１は、複数枚の記録紙Ｐを連続して画像を形成するモード、所謂、連続複写モードが実行されているときなどに、所定枚数の範囲内において、定着処理のなされた複数枚の記録紙Ｐを各ビン３１Ａごとに一枚ずつ仕分け可能な装置である。ステイプルソータ３１が画像形成システム１に備えられている場合には、ステイプル部３１Ｂがプリンタ制御部１２２２の制御に基づきステイプルの実行をなすように設定される。
【００２９】
一方、前記グルーバインダ３２は、定着処理のなされた複数枚の記録紙Ｐを製本可能な装置である。グルーバインダ３２がプリンタ１０２に備えられた場合には、バインダ部３２Ａがプリンタ制御部１２２２の制御に基づき、定着処理のなされた複数枚の記録紙Ｐより成る紙束に背表紙を糊付けして製本し、スタッカー３２Ｂに貯えるよう設定される。
【００３０】
次に、前記プリンタ１０２に備えられた操作パネル１３に関して図３に基づき説明する。なお、図３は操作パネル１３の概略構成を示す平面図である。
【００３１】
前記操作パネル１３は統合制御部１２１２に接続されている。使用者が、手動操作にて、転写および定着に関するモード、画像形成のなされるシート状の転写材としての記録紙Ｐの枚数、記録紙Ｐに形成される画像の濃度等を設定することにより、プリンタ制御部１２２２がなす画像形成の指示をなす。また、同様に、使用者が、原稿読取をモノクロで行うかカラーで行うかの選択や、原稿読取サイズの設定を行う。統合制御部１２１２は操作パネル１３を通して行われる操作に従い、プリンタ制御部１２２２に対して、画像形成の指示を行い、原稿読取制御部１２０２に対して原稿読取の指示を行う。これらの指示の組合せで複写動作も行われる。
【００３２】
故に、前記操作パネル１３は、公知のタッチパネル形態を採られており、表示手段たる表示部６３と、テンキー６４と、スタートキー６５と、リセットキー６６と、ストップキー６７と、クリアキー６８と、＃キー６９と、ＩＤキー７０と、余熱キー７１と、割り込みキー７２と、電源表示ランプ７３と、電源スイッチ７４とを有している。
【００３３】
前記操作パネル１３の有する表示部６３は、使用者への指示をメッセージ等にて表示可能となっており、テンキー６４は、使用者がコピー枚数等を入力するためのキーである。
又、前記操作パネル１３の有するスタートキー６５は、画像形成システム１に画像形成の開始を指示するためのキーであり、リセットキー６６は、モード等の設定を初期設定に戻すためのキーである。
【００３４】
さらに、前記操作パネル１３の有するストップキー６７は、画像形成システム１の全動作を中断させるためのキーであり、クリアキー６８は、テンキー６４にて入力されたコピー枚数等を初期設定値に戻すためのキーである。
また、前記操作パネル１３の有する＃キー６９は、画像形成システム１の付属のオプションにて使用するためのキーであり、ＩＤキー７０は、特定の使用者のみに対して操作可能にする機能、所謂、ＩＤ機能を有するキーである。
【００３５】
さらに、前記操作パネル１３の有する余熱キー７１は、余熱モードのＯＮ／ＯＦＦをなすためのキーであり、割り込みキー７２は、複写動作中途に割り込んで別の画像形成をなすためのキーである。電源表示ランプ７３は、画像形成システム１への通電がなされていることを「光」にて知らせるものである。
【００３６】
さらに、前記操作パネル１３の有する電源スイッチ７４は、画像形成システム１のＯＦＦ時には、ＤＣ電源（図示せず）、および、ＤＣ電源に接続されている２次側回路（図示せず）を通電状態とし、且つ、ＤＣ電源に接続されている１次側回路（図示せず）、および表示部６３をＯＦＦ状態とする。一方、電源スイッチ７４は、画像形成システム１のＯＮ時には、ＤＣ電源、１次側回路、２次側回路、および、表示部６３を、全て、ＯＮ状態とするためのものである。
【００３７】
統合制御部１２１２は、ネットワークを介して外部のサーバーやＰＣにも接続されている（図示せず）。サーバーあるいはＰＣからはプリントジョブが画像形成システムに対して送信される。よって、統合制御部１２１２は、プリントジョブを受信すると、操作パネル１３からの指示無しに、プリンタ制御部１２２２に指示を出して、ネットワークを介して送信された画像情報を画像形成する。
【００３８】
次に本画像形成システムの電源の接続関係を図１を用いて説明する。
２０１は画像形成装置本体の電源（以下本体電源と表記する）であり、本体内のＤＣ負荷にＤＣ電力（２４Ｖ）を供給する。２０２は本体に標準で内蔵された駆動ユニットＡ（第一のユニット）であり、紙搬送用モータの駆動を本体電源２０１（ＤＣ電源）から電力の供給を受けて行う。駆動ユニットＡは本体電源とコネクタＡ２０６およびコネクタＢ２０７を介して接続されている。コネクタＡはオス、コネクタＢはメスであり、各コネクタの数字が配された部分が各々接触子が配置されており、オスのコネクタとメスのコネクタの同一数字同士が接続される。本体電源２０１からは駆動ユニットＡ以外にもプリンタ内の各種負荷が接続されており、本体電源から電力の供給を受けて動作する。本体電源２０１にはリーダー２０３が接続されており、複写動作もしくは、リーダー単体での読取動作を行う。
【００３９】
本体電源２０１の定格出力は４００Ｗである。定格出力の５０％以上（２００Ｗ以上）の出力を行う場合は電源ファン２０９を回し冷却を行う。電源ファン２０９の制御はプリンタ制御部１２２２（ファン駆動制御手段）が行なっている。リーダー読取時のリーダーが必要とする電力は５０Ｗであり、リーダー単体動作時には電源ファン２０９を回す必要は無い。一方、プリンタ動作時は動作モードにもよるが、３００Ｗ以上必要な場合もあり、基本的に画像形成ジョブ中は常に電源ファン２０９を回す制御になっている。つまり、電源ファン２０９はプリンタ制御部１２２２がプリントを行なっているかどうかでファンを回したり止めたりすれば良く、原稿読取制御部１２０２が制御する必要は無い。
【００４０】
このような画像形成装置本体に対してＡＤＦ２０４（第二のユニット）がオプションで追加（増設）され、同時にオプションの電源（増設電源）（以下ＯＰ電源と表記する）２０５が追加される。ＯＰ電源２０５は後述するように本体電源２０１に比較して電源容量の小さな電源である。ＯＰ電源追加時には、コネクタＢ２０７をコネクタＡ２０６から外し、コネクタＣ２０８とコネクタＡ２０６を接続する。コネクタＣはメスであり、コネクタＡとコネクタＣの同一数字同士が接続される。ＯＰ電源２０５はコネクタＣおよびコネクタＡの１，２番ピンを経由して駆動ユニットＡと接続され、ＡＤＦはコネクタＡ，Ｃの５，６番ピンを経由し、さらにループバックしてコネクタＣ，Ａの３，４番ピンを経由して本体電源２０１と接続される。ＡＤＦ２０４および駆動ユニットＡは共に消費電力が５０Ｗである。ＡＤＦ追加時に追加されるＯＰ電源２０５からは、ＡＤＦ２０４の代わりにプリンタ内の一つの駆動ユニットＡ２０２に電力供給するようになっており、逆にＡＤＦ２０４はリーダー２０３と同じく本体電源２０１からの電力供給で動作する。ＯＰ電源２０５の定格出力は５０Ｗであり、定格出力の５０％以上の出力を行う場合は、ファンによる冷却を行う必要がある。ＯＰ電源２０５は本体電源２０１と隣接して設置されており、冷却のためのファンは本体電源を冷却する電源ファン２０９で兼用している。
【００４１】
このような接続にすることで、以下の（１）、（２）に示す作用、効果がある。
（１）ファン制御
ＡＤＦ追加時と非追加時で電源ファン制御のシーケンスを変える必要が無い。リーダーとＡＤＦを組み合わせて、リーダー（＋ＡＤＦ）単独での連続読取動作等を行う場合も、それらの消費電力が合わせて１００Ｗであるので、本体電源の定格出力４００Ｗの５０％以下となっており、電源ファンを回す必要が無い。さらに、プリント動作を行う場合は、プリンタ制御部１２２２がジョブ開始と同時にファンを回すことで、本体電源とともに、駆動ユニットＡに電力供給するＯＰ電源をも冷却することができる。
（２）接続変更しなかった場合の動作
コネクタＡとコネクタＢの接続をコネクタＡとコネクタＣの接続に変更することで、駆動ユニットＡをＯＰ電源に接続する変更と、ＡＤＦを本体電源に接続する変更が同時に行われる。よってコネクタの接続変更を忘れた場合はＡＤＦが動作せず、接続忘れに簡単に気づくことができる。
【００４２】
本発明の構成は各電源のＤＣ側の接続に関するものであるので、ＡＣの接続については言及していない。本体電源とＯＰ電源の一次側が共通のＡＣ電源コードから供給されても良いし、ＯＰ電源にＯＰ電源専用のＡＣコードがあっても良い。
【実施例２】
【００４３】
実施例２である“画像形成システム”について説明する。画像形成システムの全体構成は、実施例１と同様なので、その説明を援用し、ここでの再度の説明を省略する。
【００４４】
以下、図４に基づき本実施例の要部を説明する。本実施例と実施例１との違いは、ＯＰ電源用の電源ファンが本体電源と兼用ではなく、専用のＯＰ電源ファンを持つところにある。
【００４５】
図４において、２０１は本体電源であり、本体内のＤＣ負荷にＤＣ電力（２４Ｖ）を供給する。２０２は駆動ユニットＡであり、紙搬送用モータの駆動をＤＣ電源から電力の供給を受けて行う。駆動ユニットＡは本体電源２０１とコネクタＡ２０６およびコネクタＢ２０７を介して接続されている。本体電源２０１からは駆動ユニットＡ以外にもプリンタ内の各種負荷が接続されており、本体電源２０１から電力の供給を受けて動作する。本体電源２０１にはリーダー２０３が接続されており、複写動作もしくは、リーダー単体での読取動作を行う。
【００４６】
本体電源２０１の定格出力は４００Ｗである。定格出力の５０％以上の出力を行う場合は本体電源ファン２１０を回し冷却を行う。本体電源ファン２１０の制御はプリンタ制御部１２２２が行なっている。リーダー読取時のリーダーが必要とする電力は５０Ｗであり、リーダー単体動作時には本体電源ファン２１０を回す必要は無い。一方、プリンタ動作時は動作モードにもよるが、３００Ｗ以上必要な場合もあり、基本的に画像形成ジョブ中は常に本体電源ファン２１０を回す制御になっている。つまり、本体電源ファン２１０はプリンタ制御部１２２２がプリントを行なっているかどうかでファンを回したり止めたりすれば良く、原稿読取制御部１２０２が制御する必要は無い。
【００４７】
このような画像形成装置本体に対してＡＤＦ２０４がオプションで追加され、同時にＯＰ電源２０５が追加される。ＯＰ電源追加時には、コネクタＢ２０７をコネクタＡ２０６から外し、コネクタＣ２０８とコネクタＡ２０６を接続する。コネクタＣはメスであり、コネクタＡとコネクタＣの同一数字同士が接続される。ＯＰ電源２０５はコネクタＣおよびコネクタＡの１，２番ピンを経由して駆動ユニットＡと接続され、ＡＤＦ２０４はコネクタＡ，Ｃの５，６番ピンを経由し、さらにループバックしてコネクタＣ，Ａの３，４番ピンを経由して本体電源２０１と接続される。ＡＤＦ２０４および駆動ユニットＡは共に消費電力が５０Ｗである。ＡＤＦ追加時に追加されるＯＰ電源２０５からは、ＡＤＦ２０４の代わりにプリンタ内の一つの駆動ユニットＡ２０２に電力供給するようになっており、逆にＡＤＦ２０４はリーダーと同じく本体電源２０１からの電力供給で動作する。ＯＰ電源２０５の定格出力は５０Ｗであり、定格出力の５０％以上の出力を行う場合は、ＯＰ電源ファン２１１による冷却を行う必要がある。
【００４８】
本体電源ファン２１０とＯＰ電源ファン２１１の制御信号はプリンタ制御部１２２２からファン駆動回路に接続され、ファン駆動回路が各ファンを駆動する。本実施例では、プリンタ制御部１２２２から共通の制御信号で両方のファンを制御している。これは、両者のファンの駆動を必要とする条件が、プリンタのジョブであるため、同じタイミングでＯＮ／ＯＦＦすれば良いからである。
【００４９】
このような接続にすることで、以下の（１）、（２）に示す作用、効果がある。
（１）ファン制御
ＡＤＦ追加時と非追加時で電源ファン制御のシーケンスを変える必要が無い。リーダーとＡＤＦを組み合わせて、リーダー（＋ＡＤＦ）単独での連続読取動作等を行う場合も、それらの消費電力が合わせて１００Ｗであるので、電源ファンを回す必要が無い。さらに、プリント動作を行う場合は、プリンタ制御部１２２２がジョブ開始と同時に両方のファンを回すことで、駆動ユニットＡに電力供給するＯＰ電源を冷却することができる。
（２）接続変更しなかった場合の動作
コネクタＡとコネクタＢの接続をコネクタＡとコネクタＣの接続に変更することで、駆動ユニットＡをＯＰ電源に接続する変更と、ＡＤＦを本体電源に接続する変更が同時に行われる。よってコネクタの接続変更を忘れた場合はＡＤＦが動作せず、接続忘れに簡単に気づくことができる。
【００５０】
ＯＰ電源ファン２１１の制御は本体電源ファン２１０と同じ制御信号によりプリンタ制御部１２２２からの指示で動作するため、個々にファンを持っているものの、システムとして、ＯＰ電源の有り無しでファンの制御を変える必要が無い。
【００５１】
本実施例では、一つの制御信号で両方のファンを制御する手法を説明したが、各ファンに個別に制御信号があっても良い。その場合でも、各ファンを制御するための条件はプリンタの動作状態に依存しているため、プリンタ制御部１２２２が両方のファンを制御することができ、画像読取制御部はこれらのファンの制御に関わる必要が無い。
【実施例３】
【００５２】
実施例３である“画像形成システム”について説明する。本実施例の全体構成は、実施例１と同様なので、その説明を援用し、ここでの再度の説明を省略する。
【００５３】
以下の図５に基づき本実施例の要部を説明する。
本実施例と、実施例１および２との違いは、図示のように、ＯＰ電源追加時の電源接続の変更をコネクタではなくリレーで行うところである。
【００５４】
図５において、３０１はリレー基板であり、リレー３０２と３０３が実装されている。リレー３０２は通常ＮＣ側になっており、オプション電源から２４Ｖがリレーに内蔵されたコイルに供給されないと、駆動ユニットＡと本体電源を接続する。一方、オプション電源が設置され、電源が入ると、コイルに２４Ｖが通電され、接点がＮＯ側に切り替わり、駆動ユニットＡへの電源がＯＰ電源になる。また、リレー３０３はＯＰ電源の２４Ｖが通電されることで本体電源とＡＤＦを接続するようになっており、ＯＰ電源を設置することで本体電源の電力でＡＤＦを動作させることができる。
【００５５】
本実施例によれば、コネクタの接続変更を行なわなくても、オプション電源を設置するだけで、駆動ユニットＡへの電力供給元を変更することができ、さらに、本体電源からＡＤＦへの通電を制御できる。本実施例では、オプション電源の出力でリレーを励磁する手法で切り替える例を示したが、必ずしもリレーを用いる必要は無く、ＦＥＴ等の半導体素子で切り替えを行なっても良い。
【００５６】
本実施例も、実施例１、２と同様に、以下の（１）、（２）に示す作用、効果がある。
（１）ファン制御
ＡＤＦ追加時と非追加時で電源ファン制御のシーケンスを変える必要が無い。リーダーとＡＤＦを組み合わせて、リーダー（＋ＡＤＦ）単独での連続読取動作等を行う場合も、それらの消費電力が合わせて１００Ｗであるので、本体電源の定格出力４００Ｗの５０％以下となっており、電源ファン２０９を回す必要が無い。さらに、プリント動作を行う場合は、プリンタ制御部１２２２がジョブ開始と同時にファンを回すことで、本体電源とともに、駆動ユニットＡに電力供給するＯＰ電源をも冷却することができる。
（２）ＯＰ電源設置忘れの場合の動作
ＯＰ電源が設置され通電されることではじめて本体電源からＡＤＦへ電力供給が行われるので、ＯＰ電源を設置しない場合はＡＤＦが動作せず、ＯＰ電源の設置忘れに簡単に気づくことができる。
【図面の簡単な説明】
【００５７】
【図１】実施例１の要部構成を示す図
【図２】実施例１の全体構成を示す断面図
【図３】操作パネルの概略構成を示す図
【図４】実施例２の要部構成を示す図
【図５】実施例３の要部構成を示す図
【図６】従来例１の構成を示す図
【図７】従来例２の構成を示す図
【符号の説明】
【００５８】
２０１      本体電源
２０２      駆動ユニットＡ
２０４      ＡＤＦ
２０５      オプション電源
２０９      電源ファン
２１０      本体電源ファン
２１１      オプション電源ファン
【図１】
2008276104.tif 000003
【図２】
2008276104.tif 000004
【図３】
2008276104.tif 000005
【図４】
2008276104.tif 000006
【図５】
2008276104.tif 000007
【図６】
2008276104.tif 000008
【図７】
2008276104.tif 000009